(57)【要約】【課題】紙幣の補充又は回収時のセキュリティ低下リスクを低減する。【解決手段】紙幣取扱い装置１０は、投入口４２に投入された紙幣を受け取って装置筐体１２内の収納カセット２８へ送出する装置内搬送部４６と、紙幣補充時及び紙幣回収時に、一端部が装置内搬送部４６と接続され、他端部が補充回収口５４から装置筐体１２の外部に露出する、装置内搬送部４８とを有している。【選択図】図２
2015158730.tif 000002
【特許請求の範囲】
【請求項１】
装置筐体と、
前記装置筐体の内と外とを連通し、且つ、紙幣が投入される投入口と、
前記投入口に投入された紙幣を受け取って収納カセットへ送出する第１の装置内搬送部と、
前記装置筐体の内と外とを連通し、且つ、紙幣補充時及び紙幣回収時に紙幣を通す補充回収口と、
前記紙幣補充時及び前記紙幣回収時に、一端部が前記第１の装置内搬送部と接続され、他端部が前記補充回収口から前記装置筐体の外部に露出する第２の装置内搬送部と、
を具備することを特徴とする紙幣取扱い装置。
【請求項２】
前記第１の装置内搬送部と前記第２の装置内搬送部との接続状態を切り替え、前記投入された紙幣の収納時には、前記第１の装置内搬送部と前記第２の装置内搬送部を切り離し、前記紙幣補充時及び前記紙幣回収時には、前記第１の装置内搬送部と前記第２の装置内搬送部とを接続するゲート部を、さらに具備することを特徴とする請求項１に記載の紙幣取扱い装置。
【請求項３】
前記装置筐体の外側から前記補充回収口を介して前記第２の装置内搬送部に着脱可能に構成された外付け搬送装置を前記第２の装置内搬送部に接続する、櫛歯状の連結部を、さらに具備することを特徴とする請求項１又は２に記載の紙幣取扱い装置。
【請求項４】
紙幣の搬送に用いる駆動力を出力する駆動部と、
前記出力された駆動力を前記外付け搬送装置へ伝える動力伝達部と、
をさらに具備する請求項３に記載の紙幣取扱い装置。
【請求項５】
前記装置筐体の外側に突出して設けられ、前記補充回収カセットを載置する載置部を、さらに具備することを特徴とする請求項３又は４に記載の紙幣取扱い装置。
【請求項６】
前記載置部は、載置面上に設けられ、前記装置筐体内から供給された電力を前記補充回収カセットへ供給する電力供給部を具備する、ことを特徴とする請求項５に記載の紙幣取扱い装置。
【請求項７】
装置筐体と、
前記装置筐体の内と外とを連通し、且つ、紙幣が投入される投入口と、
前記装置筐体内に設置され、前記投入口に投入された紙幣を第１の装置内搬送部を介して受け取って収納する収納カセットと、
前記装置筐体の内と外とを連通し、且つ、紙幣補充時及び紙幣回収時に紙幣を通す補充回収口と、
前記紙幣補充時及び前記紙幣回収時に、一端部が前記第１の装置内搬送部と接続され、他端部が前記補充回収口から前記装置筐体の外部に露出する第２の装置内搬送部と、
を有する紙幣取扱い装置と、
前記装置筐体の外側から前記補充回収口を介して前記第２の装置内搬送部に脱着可能に構成され、前記紙幣補充時には前記装置筐体の外の補充回収カセットから紙幣を受け取って前記第２の装置内搬送部へ渡し、前記紙幣回収時には前記第２の装置内搬送部から紙幣を受け取って前記補充回収カセットへ渡す紙幣搬送装置と、
を具備することを特徴とする紙幣取扱いシステム。
【請求項８】
紙幣取扱い装置の装置筐体に設けられた補充回収口を介して前記装置筐体の外側から前記紙幣取扱い装置に連結されて用いられる、外付けの紙幣搬送装置であって、
前記紙幣取扱い装置で紙幣の搬送に用いられる駆動力が伝達されるギア部と、
前記ギア部に伝達された駆動力を用いて紙幣を搬送し、紙幣補充時には前記装置筐体の外の補充回収カセットから紙幣を受け取って前記紙幣取扱い装置の装置内搬送部へ渡し、紙幣回収時には前記装置内搬送部から紙幣を受け取って前記補充回収カセットへ渡す搬送部と、
を具備することを特徴とする紙幣搬送装置。
【発明の詳細な説明】
【技術分野】
【０００１】
本発明は、紙幣取扱い装置、紙幣取扱いシステム、及び、紙幣搬送装置に関する。
【背景技術】
【０００２】
従来、現金自動預払機（ＡＴＭ：Automated  Teller  Machine）や銀行窓口に設置される紙幣入出金装置等の紙幣取扱い装置には、装置筐体内に「収納カセット」が配置される。そして、現金を預け入れる場合には、投入取り出し口に紙幣が入れられ、装置内搬送部によって紙幣取扱い装置内を搬送されて収納カセットに渡されて収納される。逆に、現金を引き出す場合には、収納カセットに収納されている紙幣が装置内搬送部によって紙幣取扱い装置内を搬送され、投入取り出し口に排出される。従って、収納カセットには、取引において紙幣が不足することの無いように、紙幣が適宜補充される。一方、収納カセットに収納されている紙幣の量が多すぎる場合等には、紙幣が適宜回収される。
【０００３】
このような紙幣の補充処理及び回収処理には、従来、「補充回収カセット」が用いられることがある。この補充回収カセットは、紙幣取扱い装置の筐体内部において収納カセットが配置されているのと同じ空間に設置されて用いられる。
【先行技術文献】
【特許文献】
【０００４】
【特許文献１】特開２００７−２９３７７０号公報
【発明の概要】
【発明が解決しようとする課題】
【０００５】
ところで、セキュリティを確保するために、紙幣取扱い装置の装置筐体に設けられた扉は通常施錠されている。
【０００６】
しかしながら、上記従来の補充処理及び回収処理では、その都度、解錠して扉を開けることになるため、セキュリティが低下してしまうことがある。特に、コンビニエンスストアやＡＴＭコーナー等の銀行支店以外に設置される現金自動預払機の補充処理及び回収処理は、銀行員の代わりに銀行から委託された警備員によって行われることが多く、この場合には、銀行から預けられた鍵を警備員が持ち歩くことになり、セキュリティを十分に確保できない可能性がある。
【０００７】
開示の技術は、上記に鑑みてなされたものであって、紙幣の補充又は回収時のセキュリティ低下リスクを低減することができる、紙幣取扱い装置、紙幣取扱いシステム、及び、紙幣搬送装置を提供することを目的とする。
【課題を解決するための手段】
【０００８】
開示の態様では、紙幣取扱い装置は、装置筐体と、前記装置筐体の内と外とを連通し且つ紙幣が投入される投入口と、第１の装置内搬送部と、補充回収口と、第２の装置内搬送部とを有する。前記第１の装置内搬送部は、前記投入口に投入された紙幣を受け取って収納カセットへ送出する。前記補充回収口は、前記装置筐体の内と外とを連通し、且つ、紙幣補充時及び紙幣回収時に紙幣を通す。前記第２の装置内搬送部は、前記紙幣補充時及び前記紙幣回収時に、一端部が前記第１の装置内搬送部と接続され、他端部が前記補充回収口から前記装置筐体の外部に露出する。
【発明の効果】
【０００９】
開示の態様によれば、紙幣の補充又は回収時のセキュリティ低下リスクを低減することができる。
【図面の簡単な説明】
【００１０】
【図１】図１は、実施例１の紙幣取扱いシステムの一例を示す図である。
【図２】図２は、実施例１の紙幣取扱い装置の一例を示す図である。
【図３】図３は、第２の装置内搬送路の部分を拡大した図ある。
【図４】図４は、載置部の一例を示す図である。
【図５】図５は、載置部の一例を示す図である。
【図６】図６は、実施例１の紙幣搬送装置の一例を示す図である。
【図７】図７は、実施例１の紙幣搬送装置の一例を示す図である。
【図８】図８は、実施例１の紙幣搬送装置の一例を示す図である。
【図９】図９は、実施例１の紙幣搬送装置の一例を示す図である。
【図１０】図１０は、実施例１の紙幣搬送装置の一例を示す図である。
【図１１】図１１は、装置内紙幣搬送部と紙幣搬送装置との連結部分の説明図である。
【図１２】図１２は、実施例１の補充回収カセットの構成例の説明に供する図である。
【図１３】図１３は、紙幣取扱いシステムの組み立ての説明に供する図である。
【図１４】図１４は、紙幣取扱いシステムの組み立ての説明に供する図である。
【図１５】図１５は、入金モード時の紙幣の流れの説明に供する図である。
【図１６】図１６は、紙幣補充モード時の紙幣の流れの説明に供する図である。
【図１７】図１７は、紙幣補充モード時の紙幣の流れの説明に供する図である。
【図１８】図１８は、紙幣回収モード時の紙幣の流れの説明に供する図である。
【図１９】図１９は、紙幣回収モード時の紙幣の流れの説明に供する図である。
【発明を実施するための形態】
【００１１】
以下に、本願の開示する紙幣取扱い装置、紙幣取扱いシステム、及び、紙幣搬送装置の実施形態を図面に基づいて詳細に説明する。なお、この実施形態により本願の開示する紙幣取扱い装置、紙幣取扱いシステム、及び、紙幣搬送装置が限定されるものではない。また、以下では、一例として紙幣取扱いシステムが銀行窓口に設置される紙幣入出金装置であることを前提に説明を行うが、これに限定されるものではない。また、実施形態において同一の機能を有する構成には同一の符号を付し、重複する説明は省略される。
【００１２】
［実施例１］
［紙幣取扱いシステムの概要］
図１は、実施例１の紙幣取扱いシステムの一例を示す図である。図１において、紙幣取扱いシステム１は、紙幣取扱い装置１０と、紙幣搬送装置１００と、補充回収カセット２００とを有する。図１の右側を、紙幣取扱い装置１０の「前」とし、図１の左側を、紙幣取扱い装置１０の「後」、図１の上を、紙幣取扱い装置１０の「上」、図１の下を、紙幣取扱い装置１０の「下」とする。
【００１３】
図１において紙幣取扱い装置１０の装置筐体の前面には、紙幣搬送装置１００が取り付けられている。そして、補充回収カセット２００は、取り付けられた紙幣搬送装置１００の下方に存在し且つ紙幣取扱い装置１０の装置筐体の前面から突出する載置部の上面に載置される。これにより、補充回収カセット２００の上面に設けられた紙幣の入出力部と、紙幣搬送装置１００の搬送部とが接続されて、補充回収カセット２００と紙幣搬送装置１００との間での紙幣の遣り取りが可能となる。
【００１４】
このように紙幣取扱いシステム１では、紙幣取扱い装置１０と紙幣搬送装置１００と補充回収カセット２００とが接続されて、紙幣補充時には、補充回収カセット２００内に収納された紙幣が紙幣搬送装置１００を介して紙幣取扱い装置１０に搬送され、紙幣回収時には、紙幣取扱い装置１０に蓄積された紙幣が紙幣搬送装置１００を介して補充回収カセット２００に搬送される。
【００１５】
以上のように、紙幣取扱い装置１０の装置筐体の外側に設置される、紙幣搬送装置１００及び補充回収カセット２００を用いて、紙幣の補充処理及び回収処理を行うことができるので、紙幣取扱い装置１０のセキュリティ低下リスクを低減することができる。
【００１６】
［紙幣取扱い装置の構成例］
図２は、実施例１の紙幣取扱い装置の一例を示す図である。図２には、紙幣取扱い装置１０を装置の左側から透かして見たときの構成を模式的に表す図が示されている。
【００１７】
図２において、紙幣取扱い装置１０の装置筐体１２内には、紙幣取扱い装置１０全体を制御する制御部（図示せず）が収容されるとともに、当該制御部の制御に従って、紙幣の入金処理及び出金処理を行う紙幣処理ユニット１４が収容されている。また、装置筐体１２の前面には、施錠可能な扉１６が設けられている。
【００１８】
紙幣処理ユニット１４は、上部ユニット２０と、下部ユニット２２とを有する。
【００１９】
下部ユニット２２は、箱型の金庫筐体２４を有している。金庫筐体２４は、金庫内搬送部２６を有する。金庫内搬送部２６は、搬送ガイド及びローラ等を含む複数種類の搬送路形成部品を有し、当該複数種類の搬送路形成部品によって搬送路（以下では、「金庫内搬送路」と呼ばれることがある）が形成されている。また、金庫筐体２４の前面には、施錠可能な扉２７が設けられている。
【００２０】
また、金庫筐体２４の内部には、入金紙幣又は出金用の紙幣を収納する４つの収納カセット２８−１〜４と、「リジェクト紙幣」を収納するリジェクトカセット３０とが設置されている。「リジェクト紙幣」とは、例えば、破損している紙幣や折れ曲がっている紙幣等の異常な紙幣である。また、収納カセット２８及びリジェクトカセット３０は、例えば、同じ構成を有している。すなわち、配置される場所に応じて収納カセット２８又はリジェクトカセット３０として機能し、金庫筐体２４内で最も前に配置されるカセットがリジェクトカセット３０である。また、収納カセット２８及びリジェクトカセット３０は、金庫筐体２４と着脱可能に設置されている。すなわち、扉１６及び扉２７が解錠されて開かれた状態で、収納カセット２８及びリジェクトカセット３０が載置された引出ケース（図示せず）を引き出すことにより、収納カセット２８及びリジェクトカセット３０が装置筐体１２の外に露出される。これにより、例えば銀行員による収納カセット２８及びリジェクトカセット３０の着脱行為を容易にすることができる。
【００２１】
リジェクトカセット３０は、それの上端部内に、搬送ガイド及びローラ等を含む複数種類の搬送路形成部品を有するリジェクトカセット内搬送部３２が設けられている。すなわち、リジェクトカセット内搬送部３２には、複数種類の搬送路形成部品によって搬送路（以下では、「リジェクトカセット内搬送路」と呼ばれることがある）が形成されている。
【００２２】
そして、リジェクトカセット内搬送部３２は、金庫内搬送部２６によって搬送されたリジェクト紙幣を取り込み、取り込んだ紙幣を収容スペース３４に収納させる。
【００２３】
各収納カセット２８は、それの上端部内に、搬送ガイド、ローラ及び駆動モータを含む複数種類の搬送路形成部品を有する収納カセット内搬送部３６が設けられている。すなわち、収納カセット内搬送部３６には、複数種類の搬送路形成部品によって搬送路（以下では、「収納カセット内搬送路」と呼ばれることがある）が形成されている。
【００２４】
そして、収納カセット内搬送部３６は、金庫内搬送部２６によって搬送された紙幣を取り込み、取り込んだ紙幣を収納カセット２８内の収納スペース（図示せず）に収納させる。また、収納カセット内搬送部３６は、収納カセット２８内に収納されている紙幣を取り出し、取り出した紙幣を金庫内搬送部２６へ繰り出す。なお、金庫内搬送部２６は、受け渡し部３８を介して、後述する装置内搬送部４６と接続されている。
【００２５】
上部ユニット２０は、それの上端部に、紙幣を投入する投入口４２と紙幣を取り出す取り出し口４０とが設けられている。また、上部ユニット２０は、紙幣を一時的に保留する一時保留部４４と、装置内搬送部４６，４８とを有する。
【００２６】
装置内搬送部４６は、投入口４２、取り出し口４０、一時保留部４４、及び、受け渡し部３８と接続されている。また、装置内搬送部４６は、搬送ガイド、ローラ、駆動モータ、及びルート切り替えゲートを含む複数種類の搬送路形成部品を有し、当該複数種類によって搬送路（以下では、「第１の装置内搬送路」とよばれることがある）が形成されている。そして、装置内搬送部４６は、例えば、投入口４２に投入された紙幣を一枚ずつ鑑別部５０を経由して、一時保留部４４へ搬送し、一時保留部４４へ保留された紙幣を一枚ずつ、受け渡し部３８を介して金庫内搬送部２６へ繰り出す。
【００２７】
また、上部ユニット２０には、装置内搬送部４６で搬送される紙幣を鑑別する鑑別部５０が設けられている。鑑別部５０は、搬送される紙幣が正常紙幣であるかリジェクト紙幣であるかを鑑別する。そして、例えば、正常紙幣は、装置内搬送部４６、受け渡し部３８、及び金庫内搬送部２６を介して、収納カセット２８−１〜４のいずれかに収納される一方、リジェクト紙幣は、装置内搬送部４６、受け渡し部３８、及び金庫内搬送部２６を介して、リジェクトカセット３０へ収納される。
【００２８】
また、上部ユニット２０には、装置内搬送部４６と装置内搬送部４８との間に、装置内搬送部４６と装置内搬送部４８の接続状態を切り替えるゲート部５２が設けられている。例えば、ゲート部５２は、紙幣収納時及び紙幣取り出し時には、装置内搬送部４６と装置内搬送部４８を切り離し、紙幣補充時及び紙幣回収時には装置内搬送部４６と装置内搬送部４８とを接続する。
【００２９】
装置内搬送部４８は、搬送ガイド、ローラ、及びギアを含む複数種類の搬送路形成部品を有し、当該複数種類によって搬送路（以下では、「第２の装置内搬送路」とよばれることがある）が形成されている。第２の装置内搬送路の一端部は、装置筐体１２の前面において装置の内と外とを連通する補充回収口５４を介して、装置外部に露出可能となっている。
【００３０】
また、第２の装置内搬送路の一端部に、櫛歯状の連結部５６，５７が設けられている。この連結部５６，５７が後述する紙幣搬送装置１００の連結部と噛み合うことにより、第２の装置内搬送路と紙幣搬送装置１００内の搬送路とが接続される。
【００３１】
また、補充回収口５４の近傍には、第２の装置内搬送路の一端部の上下に、軸５８，６０がそれぞれ設けられている。軸５８には、紙幣搬送装置１００のフック部が引っ掛けられ、軸６０には、紙幣搬送装置１００のロックレバーの爪部が引っ掛けられる。これにより、紙幣取扱い装置１０と紙幣搬送装置１００とが連結される。
【００３２】
また、補充回収口５４の近傍には、取り付け検知センサ部（図示せず）が設けられている。この取り付け検知センサ部は、紙幣搬送装置１００が紙幣取扱い装置１０に取り付けられると、検出信号を上記の制御部へ出力する。この制御部は、検出信号を受け取ると、紙幣取扱い装置１０を補充回収モードに切り替える。すなわち、制御部は、ゲート部５２を制御して、第１の装置内搬送路と第２の装置内搬送路とを接続する。これにより、後述する載置部６２上に補充回収カセット２００が載置されることで、補充回収カセット２００と紙幣取扱い装置１０との間で紙幣の遣り取りが可能となる。
【００３３】
図３は、第２の装置内搬送路の部分を拡大した図である。図３に示すように、装置内搬送部４８は、ギア部４９を有する。このギア部４９は、紙幣搬送装置１００のギア部と噛み合うことにより、装置内搬送部４８において紙幣の搬送に用いられる駆動力を紙幣搬送装置１００に伝えることができる。これにより、紙幣搬送装置１００は電力の供給を受けなくとも、ギア部４９から伝えられた駆動力を用いて、紙幣を搬送することができる。
【００３４】
図２の説明に戻り、装置筐体１２の前面には、上述した載置部６２が設けられている。載置部６２は、例えば板状であり、軸６４によって一端が固定され、軸６４を回転軸として回転させることにより、出し入れ可能に構成されている。
【００３５】
図４及び図５は、載置部の一例を示す図である。図４は、載置部を左側から見た図であり、図５は、載置部を、図４の矢印Ａの方向、つまり上側から見た図である。
【００３６】
図４及び図５に示すように、載置部６２は、それの載置面上に、その面から立ち上がる固定ピン６６が設けられている。また、固定ピン６６は、載置部６２の左端部及び右端部にそれぞれ設けられている。この固定ピン６６は、載置面上に補充回収カセット２００が載置された時に、補充回収カセット２００の下面に設けられた穴に差し込まれる。すなわち、固定ピン６６は、補充回収カセット２００の載置位置を規定する位置決めピンとして用いられる。
【００３７】
また、載置部６２は、それの載置面上に、電力供給端子６８が設けられている。この電力供給端子６８は、載置面上に補充回収カセット２００が載置された時に、補充回収カセット２００の下面に設けられた端子と電気的に接続する。これにより、紙幣取扱い装置１０から供給された電力を電力供給端子６８を介して受け取ることができるので、補充回収カセット２００は、補充回収カセット２００が備える駆動モータ等を駆動させることができる。
【００３８】
［紙幣搬送装置の構成例］
図６乃至１０は、実施例１の紙幣搬送装置の一例を示す図である。図６は、紙幣搬送装置１００の斜視図である。また、図７は、紙幣搬送装置１００を装置の左側、つまり図６の矢印Ｂの方向から透かして見たときの構成を模式的に示す図である。また、図８は、図６の紙幣搬送装置１００を透かして見たときの構成を模式的に示す図である。また、図９は、紙幣搬送装置１００を装置の上側、つまり図６の矢印Ｃの方向から透かして見たときの構成を模式的に示す図である。また、図１０は、紙幣搬送装置１００を装置の後側、つまり図６の矢印Ｄの方向から見たときの構成を模式的に示す図である。なお、図６には、便宜上、上記の紙幣取扱い装置１０の取り付け検知センサ部６９も示されている。
【００３９】
紙幣搬送装置１００は、装置筐体１０２を有する。装置筐体１０２には、搬送部１０４が設けられている。搬送部１０４は、搬送ガイド、ローラ、及び、ルート切り替えゲート１０６を含む複数種類の搬送路形成部品を有し、当該複数種類によって搬送路が形成されている。
【００４０】
紙幣搬送装置１００の搬送路の装置後面側の開口部１０８の上下には、櫛歯状の連結部１１０，１１２がそれぞれ設けられている。すなわち、連結部１１０，１１２は、それぞれ複数の歯部を有している。そして、連結部１１０，１１２の各歯部は、装置筐体１０２の後面から立ち上がるように設けられている。また、連結部１１０の歯部と連結部１１２の歯部との対向する面間距離は、歯部の先端部において先端に向かうにつれて広がっている。すなわち、連結部１１０の歯部と連結部１１２の歯部との対向する２つの面で挟まれた空間は、テーパ状になっている。すなわち、連結部１１０，１１２の各歯部は、先端部にテーパ形状（テーパ部）１１０−１，１１２−１を有している。ここで、図１１に示すように、紙幣取扱い装置１０の連結部５６，５７の歯部も連結部１１０，１１２の歯部と略同様のテーパ形状（例えば、テーパ形状５７−１）を有しており、連結部５６，５７と連結部１１０，１１２とが噛み合うことにより、連結部分の搬送路において紙幣が搬送される方向で紙幣が引っ掛かり易い部分を減少させることができる。図１１は、装置内紙幣搬送部４８と紙幣搬送装置１００との連結部分の説明図である。
【００４１】
また、装置筐体１０２の左端及び右端の上部には、フック部１１４−１，２がそれぞれ設けられている。上述の通り、フック部１１４−１，２は、紙幣取扱い装置１０の軸５８に引っ掛けられる。
【００４２】
また、装置筐体１０２の左端及び右端の下部には、ロックレバー１１６−１，２がそれぞれ設けられている。ロックレバー１１６−１，２は、それぞれ軸１１８によって軸支されており、軸１１８を回転軸として回転可能に構成されている。上述の通り、ロックレバー１１６−１，２は、それぞれ軸６０に引っ掛けられる。
【００４３】
また、装置筐体１０２の左面及び右面の後端部には、ギア部１２０が設けられている。このギア部１２０は、搬送部１０４と軸を介して接続されている。また、ギア部１２０は、紙幣取扱い装置１０と紙幣搬送装置１００とが連結された時に、紙幣取扱い装置１０のギア部４９と噛み合う。これにより、装置内搬送部４８において紙幣の搬送に用いられる駆動力を搬送部１０４に伝えることができる。
【００４４】
また、装置筐体１０２の下面には、紙幣搬送装置１００の搬送路の開口部１２２が設けられている。開口部１２２は、補充回収カセット２００が載置部６２に載置された時に、補充回収カセット２００の上面に設けられた、紙幣の出入口と向かい合う状態となる。これにより、搬送部１０４と補充回収カセット２００との間で紙幣の遣り取りが可能となる。
【００４５】
ここで、搬送部１０４の搬送路は、ローラ１２４の上側及び前側（図７における右側）を回る第１のルートと、ローラ１２４の後側（図７における左側）を回る第２のルートとを有している。上記のルート切り替えゲート１０６は、その先端部が下側に付勢されており、基本的には、第２のルートを塞ぐ状態になっている。従って、開口部１０８から開口部１２２へ向けて搬送される紙幣は、第１のルートを通って補充回収カセット２００へ搬送される。一方、補充回収カセット２００から開口部１２２を介して搬送部１０４へ繰り出される紙幣は、第２のルートを通り、ルート切り替えゲート１０６を下から押し上げて搬送部１０４で搬送される。
【００４６】
［補充回収カセットの構成例］
図１２は、実施例１の補充回収カセットの構成例の説明に供する図である。図１２には、補充回収カセットの上端部を透かして見たときの構成が模式的に示されている。なお、図１２には、便宜上、紙幣取扱い装置１０の一部と紙幣取扱い装置１０に連結された紙幣搬送装置１００も示されている。補充回収カセット２００は、基本的には、収納カセット２８と同じ構成を有している。これにより、１つの種類のカセットを使い回しすることができる。
【００４７】
補充回収カセット２００は、カセット筐体２０２を有する。カセット筐体２０２の上面には、紙幣が出入りする開口である出入口２０３が設けられている。この出入口２０３は、上述の通り、補充回収カセット２００が載置部６２に載置された時に、紙幣搬送装置１００の開口部１２２と向かい合う状態となる。これにより、紙幣搬送装置１００と補充回収カセット２００との間で紙幣の遣り取りが可能となる。
【００４８】
また、補充回収カセット２００は、それの上端部に、搬送ガイド、ローラ及び駆動モータを含む複数種類の搬送路形成部品を有する補充回収カセット内搬送部２０４が設けられている。すなわち、補充回収カセット内搬送部２０４には、複数種類の搬送路形成部品によって搬送路（以下では、「補充回収カセット内搬送路」と呼ばれることがある）が形成されている。
【００４９】
例えば、補充回収カセット内搬送部２０４は、ローラ２０６，２０８と、ルート切り替えゲート２１０とを有する。また、補充回収カセット内搬送路は、ルート切り替えゲート２１０の前側、つまりルート切り替えゲート２１０とローラ２０８との間を通る第１のルートと、ルート切り替えゲート２１０の後側、つまりルート切り替えゲート２１０とローラ２０６との間を通る第２のルートとを有している。そして、ルート切り替えゲート２１０は、その先端部が上側に付勢されており、基本的には、第１のルートを塞ぐ状態になっている。従って、紙幣回収時に出入口２０３から入ってくる紙幣は、ルート切り替えゲート２１０の先端部を押し下げて、第１のルートを通って補充回収カセット２００の収納スペースに収納される。一方、紙幣補充時に収納スペースから繰り出される紙幣は、第２のルートを通って紙幣搬送装置１００へ繰り出される。なお、紙幣搬送装置１００の第１のルートを通ってきた紙幣は、補充回収カセット２００の第１のルートを通り、補充回収カセット２００の第２のルートを通って紙幣搬送装置１００へ繰り出された紙幣は、紙幣搬送装置１００の第２のルートを通ることになる。すなわち、補充回収カセット２００の第１のルートは、紙幣搬送装置１００の第１のルートと接続され、補充回収カセット２００の第２のルートは、紙幣搬送装置１００の第２のルートと接続されることになる。
【００５０】
［紙幣取扱いシステムの動作例］
以上の構成を有する紙幣取扱いシステム１の動作例について説明する。
【００５１】
＜組み立て工程について＞
まず、紙幣補充時及び紙幣回収時に係員（例えば、銀行員及び警備員等）によって行われる、紙幣取扱いシステム１の組み立て工程について説明する。図１３及び図１４は、紙幣取扱いシステムの組み立ての説明に供する図である。
【００５２】
まず、金融取引時には、基本的に紙幣取扱い装置１０単独で用いられるため、図２に示すように、紙幣取扱い装置１０に紙幣搬送装置１００は取り付けられていない。そして、紙幣補充時及び紙幣回収時には、まず、係員によって、載置部６２が引き出されて、収納状態（図２参照）から載置可能状態（図１３参照）にされる。
【００５３】
そして、図１４に示すように、載置可能状態となっている載置部６２の上面に補充回収カセット２００が載置されるとともに、紙幣搬送装置１００が紙幣取扱い装置１０の前面に取り付けられる。このとき、取り付け検知センサ部６９は紙幣搬送装置１００が取り付けられたことを検知し、上記の制御部は、紙幣取扱いシステム１の動作モードを補充回収モードに切り替える。例えば、上記の制御部は、ゲート部５２を制御して、第１の装置内搬送路と第２の装置内搬送路とを接続する。
【００５４】
＜紙幣の流れについて＞
つぎに、各動作モード時の紙幣の流れを説明する。
【００５５】
（入金モード時（紙幣投入モード時））
図１５は、入金モード時の紙幣の流れの説明に供する図である。図１５では、紙幣取扱装置の上部の前方側の拡大図が示されている。
【００５６】
図１５に示される矢印は、入金モード時の紙幣の流れを示している。すなわち、入金モード時には、ゲート部５２によって第１の装置内搬送部と第２の装置内搬送部とが切り離されているので、紙幣は、第２の装置内搬送部を通ることなく、第１の装置内搬送部によって搬送される。
【００５７】
（紙幣補充モード時）
図１６及び図１７は、紙幣補充モード時の紙幣の流れの説明に供する図である。図１６では、紙幣取扱いシステム１の全体が示されている。また、図１７には、紙幣取扱い装置１０、紙幣搬送装置１００、及び補充回収カセット２００の接続部分が拡大されている。
【００５８】
図１６及び図１７に示された矢印は、紙幣補充モード時の紙幣の流れを示している。すなわち、補充される紙幣は、補充回収カセット２００の第２のルートを通り、紙幣搬送装置１００のルート切り替えゲート１０６の先端部を押し上げて第２のルートを通り、紙幣取扱い装置１０の第２の装置内搬送路を通って、第１の装置内搬送路に渡される。そして、第１の装置内搬送路に渡された紙幣は、鑑別部５０によって鑑別され、正常紙幣の場合、収納カセット２８へ搬送され、リジェクト紙幣の場合、リジェクトカセット３０へ搬送される。
【００５９】
（紙幣回収モード時）
図１８及び図１９は、紙幣回収モード時の紙幣の流れの説明に供する図である。図１８では、紙幣取扱いシステム１の全体が示されている。また、図１９には、紙幣取扱い装置１０、紙幣搬送装置１００、及び補充回収カセット２００の接続部分が拡大されている。
【００６０】
図１８及び図１９に示された矢印は、紙幣回収モード時の紙幣の流れを示している。すなわち、回収される紙幣は、収納カセット２８から第１の装置内搬送路に繰り出される。そして、第１の装置内搬送路に繰り出された紙幣は、鑑別部５０によって鑑別され、正常紙幣の場合、第１の装置内搬送路から第２の装置内搬送路へ繰り出され、リジェクト紙幣の場合、リジェクトカセット３０へ搬送される。そして、第１の装置内搬送路から第２の装置内搬送路へ繰り出された紙幣は、紙幣搬送装置１００のルート切り替えゲート１０６の第１のルートを通り、補充回収カセット２００のルート切り替えゲート２１０の先端部を押し下げて第１のルートを通って補充回収カセット２００の収納スペースに収納される。
【００６１】
以上のように本実施例によれば、紙幣取扱い装置１０は、紙幣補充時及び紙幣回収時に、一端部が装置内搬送部４６と接続され、他端部が補充回収口５４から装置筐体１２の外部に露出する、装置内搬送部４８を有している。
【００６２】
この紙幣取扱い装置１０の構成により、補充回収口５４及び装置内搬送部４８を介して、紙幣取扱い装置１０内の収納カセット２８への紙幣補充及び収納カセット２８からの紙幣回収を行うことができる。これにより、扉１６及び扉２７を開けることなく、紙幣補充及び紙幣回収を行うことができるので、セキュリティ低下リスクを低減することができる。
【００６３】
また、紙幣取扱い装置１０は、装置内搬送部４６と装置内搬送部４８との接続状態を切り替えるゲート部５２を有する。具体的には、ゲート部５２は、投入口４２から投入された紙幣の収納時には、装置内搬送部４６と装置内搬送部４８を切り離し、紙幣補充時及び紙幣回収時には、装置内搬送部４６と装置内搬送部４８とを接続する。
【００６４】
この紙幣取扱い装置１０の構成により、紙幣収納時と、紙幣補充時及び紙幣回収時との両方において、装置内搬送部４６を共用することができる。すなわち、紙幣取扱い装置１０が大型化することを回避することができる。
【００６５】
また、紙幣取扱い装置１０は、装置筐体１２の外側から補充回収口５４を介して装置内搬送部４８に着脱可能に構成された外付けの紙幣搬送装置１００を、装置内搬送部４８に接続する連結部５６，５７を有している。この連結部５６，５７は、それぞれ、櫛歯状になっている。そして、連結部５６の歯部と連結部５７の歯部との対向する面間距離は、歯部の先端部において先端に向かうにつれて広がっている。
【００６６】
この紙幣取扱い装置１０の構成により、連結部５６，５７が紙幣搬送装置１００の連結部と噛み合ったときに、紙幣取扱い装置１０と紙幣搬送装置１００との連結部分の搬送路において紙幣が搬送される方向で紙幣が引っ掛かり易い部分を減少させることができる。
【００６７】
また、紙幣取扱い装置１０は、装置内搬送部４８において紙幣の搬送に用いられる駆動力を紙幣搬送装置１００へ伝えるギア部４９を有する。
【００６８】
この紙幣取扱い装置１０の構成により、紙幣搬送装置１００は電力の供給を受けなくとも、紙幣取扱い装置１０から伝えられた駆動力を用いて紙幣を搬送することができる。
【００６９】
また、紙幣取扱い装置１０は、装置筐体１２の前面から装置筐体１２の外側に突出して設けられた載置部６２を有する。載置部６２は、板状であり、軸６４によって一端が固定され、軸６４を回転軸として回転させることにより、出し入れ可能に構成されている。
【００７０】
この紙幣取扱い装置１０の構成により、紙幣の補充処理又は回収処理の時以外には載置部６２を収納可能にできるので、載置部６２が紙幣取扱い装置１０のユーザの動きを阻害する要因になることを防止することができる。
【００７１】
また、載置部６２の上面には、紙幣搬送装置１００が載置された時に紙幣搬送装置１００の下面に設けられた穴に差し込まれる固定ピン６６が設けられている。
【００７２】
この紙幣取扱い装置１０の構成により、紙幣搬送装置１００が載置されることが望まれる位置に、紙幣搬送装置１００を容易に載置することができる。
【００７３】
また、載置部６２の上面には、電力供給端子６８が設けられている。
【００７４】
この紙幣取扱い装置１０の構成により、紙幣搬送装置１００を載置部６２の上面に載置するだけで、紙幣取扱い装置１０から紙幣搬送装置１００へ電力を供給することができる。
【００７５】
また、紙幣搬送装置１００は、ギア部１２０と、搬送部１０４とを有する。ギア部１２０には、紙幣取扱い装置１０で紙幣の搬送に用いられる駆動力が伝達される。搬送部１０４は、ギア部１２０に伝達された駆動力を用いて紙幣を搬送し、紙幣補充時には装置筐体１２の外の補充回収カセット２００から紙幣を受け取って紙幣取扱い装置１０の装置内搬送部４８へ渡し、紙幣回収時には装置内搬送部４８から紙幣を受け取って補充回収カセット２００へ渡す。
【００７６】
この紙幣搬送装置１００の構成により、紙幣搬送装置１００は電力の供給を受けなくとも、紙幣取扱い装置１０から伝えられた駆動力を用いて紙幣を搬送することができる。
【００７７】
また、紙幣搬送装置１００は、紙幣取扱い装置１０の装置筐体１２に設けられた補充回収口５４を介して装置筐体１２の外側から紙幣取扱い装置１０に取り付け可能に構成されている。
【００７８】
この紙幣搬送装置１００の構成により、紙幣の補充処理又は回収処理の時以外には紙幣搬送装置１００を紙幣取扱い装置１０から取り外した状態にできるので、紙幣搬送装置１００が紙幣取扱い装置１０のユーザの動きを阻害する要因になることを防止することができる。
【００７９】
［他の実施例］
［１］実施例１では、紙幣搬送装置１００が紙幣取扱い装置１０に着脱可能な構成であることを前提に説明を行ったが、これに限定されるものではない。例えば、紙幣取扱い装置１０も、上記の載置部６２と同様に、それの一端部を紙幣搬送装置１００に軸支して当該軸を回転軸として回転自在に構成してもよい。
【００８０】
［２］実施例１では、載置部６２が、軸６４によって一端が固定され、軸６４を回転軸として回転させることにより、出し入れ可能に構成されていることを前提に説明を行ったが、これに限定されるものではない。例えば、載置部６２も、紙幣搬送装置１００と同様に、紙幣取扱い装置１０に着脱可能な構成にしてもよい。
【００８１】
［３］実施例１では、紙幣搬送装置１００及び補充回収カセット２００が、紙幣取扱い装置１０の前面側に取り付けられることを前提に説明を行ったが、これに限定されるものではない。例えば、紙幣搬送装置１００及び補充回収カセット２００が、紙幣取扱い装置１０の後面側に取り付けられるようにしてもよい。この場合には、補充回収口５４、軸５８，６０、及び装置内搬送部４８等は、紙幣取扱い装置１０の後面側に設けられる。
【００８２】
［４］実施例１では、紙幣搬送装置１００及び補充回収カセット２００が補充処理及び回収処理にのみ利用されることを前提に説明を行ったが、これに限定されない。例えば、紙幣搬送装置１００及び補充回収カセット２００を、現金の引き出し時に用いることもできる。すなわち、補充回収カセット２００を外付けの収納カセットとして用いるモードが用意されてもよい。こうすることで、例えば、繁忙期にだけ、紙幣取扱い装置１０を拡張することができる。
【符号の説明】
【００８３】
１  紙幣取扱いシステム
１０  紙幣取扱い装置
１２，１０２  装置筐体
１４  紙幣処理ユニット
１６，２７  扉
２０  上部ユニット
２２  下部ユニット
２４  金庫筐体
２６  金庫内搬送部
２８  収納カセット
３０  リジェクトカセット
３２  リジェクトカセット内搬送部
３４  収容スペース
３６  収納カセット内搬送部
３８  受け渡し部
４０  取り出し口
４２  投入口
４４  一時保留部
４６，４８  装置内搬送部
４９，１２０  ギア部
５０  鑑別部
５２  ゲート部
５４  補充回収口
５６，５７，１１０，１１２  連結部
５７−１，１１０−１，１１２−１  テーパ形状（テーパ部）
５８，６０，６４，１１８  軸
６２  載置部
６６  固定ピン
６８  電力供給端子
６９  取り付け検知センサ部
１００  紙幣搬送装置
１０４  搬送部
１０６，２１０  ルート切り替えゲート
１０８，１２２  開口部
１１４  フック部
１１６  ロックレバー
１２４，２０６，２０８  ローラ
２００  補充回収カセット
２０２  カセット筐体
２０３  出入口
２０４  補充回収カセット内搬送部
【図１】
2015158730.tif 000003
【図２】
2015158730.tif 000004
【図３】
2015158730.tif 000005
【図４】
2015158730.tif 000006
【図５】
2015158730.tif 000007
【図６】
2015158730.tif 000008
【図７】
2015158730.tif 000009
【図８】
2015158730.tif 000010
【図９】
2015158730.tif 000011
【図１０】
2015158730.tif 000012
【図１１】
2015158730.tif 000013
【図１２】
2015158730.tif 000014
【図１３】
2015158730.tif 000015
【図１４】
2015158730.tif 000016
【図１５】
2015158730.tif 000017
【図１６】
2015158730.tif 000018
【図１７】
2015158730.tif 000019
【図１８】
2015158730.tif 000020
【図１９】
2015158730.tif 000021